(57)【要約】  本発明は内燃機関の燃料噴射システムにおいて燃料貯蔵器における圧力を調整するための圧力調整弁（１１）に関する。  圧力調整弁（１１）の調節力は調節円板（２６）の寸法設定によって決定される。この調節円板（２６）の機能を決定する軸方向の高さは力測定システム（３１）と距離測定システム（３３）とによって圧力調整弁（１１）の弁部材（１７）の端面（３６）と圧力調整弁（１１）のケーシング（１２）の基準面（２７）との間の間隔（３４）の検出を介して高い精度で検出される。  この圧力調整弁（１１）は有利な形式で自動車構造で用いられる。
2008525697.tif 000002
【特許請求の範囲】
【請求項１】
圧力調整弁（１１）、特に内燃機関のための燃料噴射システムにおいて燃料貯蔵器における圧力を調整するための圧力調整弁（１１）であって、圧力調整弁（１１）のケーシング（１２）の切欠き内で軸方向に移動可能に案内された弁部材（１７）を有し、該弁部材（１７）が、弁座（１９）に圧着可能な閉鎖エレメント（１８）に作用しており、前記弁部材（１７）が給電することのできる電磁石（１３）のアンカボルト（１６）の１部である形式のものにおいて、前記弁部材（１７）とケーシング（１２）の基準面（２７）との間の間隔が、電磁石（１３）に所定の電流が給電されかつ同時に前記弁部材（１７）が位置決めされた状態で、所定の反力まで検出されることを特徴とする、圧力調整弁。
【請求項２】
電磁石（１３）の前記所定の給電が圧力調整弁（１１）の公称作業点に相応する電流で行なわれる請求項１記載の圧力調整弁。
【請求項３】
前記給電が調整されて行なわれる、請求項２記載の圧力調整弁。
【請求項４】
前記弁部材（１７）の位置決めが距離測定システム（２３）により検出されかつその際に維持する必要のある反力が力測定システム（３１）によって検出される、請求項１から４までのいずれか１項記載の圧力調整弁。
【請求項５】
前記距離測定システム（３３）によって前記弁部材（１７）と前記基準面（２７）との間の間隔（３４）が圧力調整弁のための前記調節円板（２６）の寸法設定のために検出され、この寸法設定を介して圧力調整弁（１１）の調節力を決定する空隙（２４）が調節される、請求項１から４までのいずれか１項記載の圧力調整弁。
【発明の詳細な説明】
【技術分野】
【０００１】
本発明は圧力調整弁であって、電磁石と可動なアンカとを有し、特に内燃機関の燃料噴射システムにて燃料貯蔵器における圧力を調整するために使用される形式のものに関する。
【０００２】
可動なアンカを有する電磁石はアクチエーターとしても多様な形式で用いられる。
【０００３】
［従来技術］
圧力調整弁は多様な構成形式で知られている。この圧力調整弁は該圧力調整弁が供給部を介して接続された燃料貯蔵器の圧力を調整するために用いられる。圧力調整弁は孔内で軸方向に移動可能に案内されたピストン形の弁部材を有し、該弁部材は所定の力に抗して、有利には電磁石における電流によって弁部材に作用する力に抗して運動することができる。この力は閉鎖方向に作用するので、弁部材は圧力調整弁の閉鎖エレメントの上に押し付けられかつ弁座に圧着される。弁部材は、力制御のために給電可能である電磁石のアンカボルトを形成する。
【０００４】
給電によっては電磁石のアンカを貫く磁場が発生し、これによって磁気的な力がアンカボルトに作用する。前記弁部材はこの力で閉鎖エレメントを弁座に押し付ける。
【０００５】
燃料の液圧によって発生させられた力が弁部材を介して閉鎖エレメントに生ぜしめられる閉鎖力を上回ると、閉鎖エレメントは弁座から離される。この場合、燃料は燃料貯蔵器から供給部を通って、開放した圧力調整弁を介して放圧室へ流出する。
【０００６】
燃料貯蔵器に、より高い圧力を調節する場合には、電磁石における電流が増大され、閉鎖力が高められ、ひいては閉鎖エレメントは燃料貯蔵器における圧力がより高い場合にはじめて弁座から持上がり、燃料が燃料貯蔵器から放圧室へ流出させられるようになる。
【０００７】
［公知技術の欠点］
燃料貯蔵器における圧力の調整は電磁石のコイルにおける電流の調節を介して行なわれる。したがって実際の圧力は電磁石の特性値に関連する。これには電磁的なパラメータの他に幾何学的な寸法も属する。特に重要であることは可動なアンカと、電磁石のコイルが存在する不動の弁ケーシングとの間の空隙である。この空隙は構成幾何学的形状により規定される。
【０００８】
圧力を正確に調節できるためもしくは正確な圧力インターバルを調整できるためには構成部分は互いに正確に適合させられなければならない。必要な製作公差は相応して小さく、これは著しい組立費用、ひいてはコストの増大を意味する。
【０００９】
［発明の課題］
本発明の課題は公知技術により公知の圧力調整弁を改良して、弁の閉鎖力の調節があらかじめ組立てられた状態で正確な形式で行なわれ得るようにすることである。
【００１０】
［課題の解決］
本発明の課題は請求項１の特徴によって解決された。アンカと弁ケーシングとの間の間隔は、磁気的な磁界線によるアンカの貫通にとって、ひいてはアンカから伝達でき、圧力調整弁の閉鎖力となる磁気的な力にとって決定的である。この間隔の検出は本発明によれば磁気回路により生ぜしめられた力の測定と同時に行なわれる弁部材の位置決めに際しての距離測定によって行なわれる。この両方の物理的な値はきわめて正確に測定でき、電磁石における物質特性と機械的な製作公差との影響なしで圧力調整弁のきわめて正確な調節を可能にする。
【００１１】
従属請求項に記載した構成によっては請求項１に記載した圧力調整弁の有利な変化実施例が可能である。有利な構成によれば、電磁石への給電は圧力調整弁の公称作業点に相応する電流で行なわれる。ここでは後で圧力調整弁の運転でも発生するような状態が成立する。
【００１２】
又、電磁石の給電が調整されて行なわれ、測定に対する帰還連結効果が、特に弁部材の位置決めに際して回避され、常時、圧力調整弁公称作業点に相応する電流が存在するようにすることも有利である。
【００１３】
別の有利な構成は以下の記載並びに請求項に開示されている。
【００１４】
［図面］
図面には本発明の１実施例が示されており、以下これについて詳細に説明する。
【００１５】
図１には圧力調整弁の作用形式を明らかにするために圧力調整弁が縦断面図で示されている。図２には同様に縦断面で圧力調整弁が概略的に示された、力及び距離を測定する測定システムと協働するために重要である部分と共に示されている。
【００１６】
［実施例の説明］
図１には圧力調整弁が縦断面図で概略的に示されている。この圧力調整弁は図示されていない燃料貯蔵器に配置されることができる。
【００１７】
圧力調整弁１１はケーシング１２を有し、ケーシング１２内にはコイル巻線１４を有する電磁石１３が配置されている。
【００１８】
ケーシング１２の軸方向の切欠き内には電磁石１３のアンカボルト１６があり、アンカボルト１６の自由端部は弁部材１７として、閉鎖エレメント１８を押圧している。この閉鎖エレメント１８は弁座１９に支えられる。
【００１９】
軸方向に向けられたアンカボルト１６の他端には半径方向に延在するアンカプレート２１が取付けられている。このアンカプレート２１は平らな下面２２で、ケーシング１２の平らな上面２３に対し空隙２４を成す間隔を有している。この空隙２４はその寸法が小さいために図面には表われていない。この空隙２４は圧力調整弁１１において、ケーシング１２の基準面２７とこれに向き合った弁座体２９の支持面２８との間に配置された調節円板２６の軸方向の長さによって調節される。
【００２０】
電磁石１３に給電することによってアンカプレート２１とアンカボルト１６とは磁気的な磁気流線に貫かれ、これによって弁部材１７を閉鎖エレメント１８並びに弁座１９に対して押圧する磁気的な力が作用する。この力の大きさは空隙２４の大きさに関連する。
【００２１】
図２に縦断面で示された、図１に示した部分の説明は省略した圧力調整弁１１は、アンカボルト１６と連結された力測定システム３１と位置決めピン３２を有する距離測定システム３３とを備えている。この距離測定システム３３は概略的に示され、これによって基準面２７と弁部材１７の端面３６との間の間隔を測定する。
【００２２】
図１に示された、間挿しようとする調節円板２６の軸方向の高さの寸法を設定するための間隔３４を求めるためには、電磁石１３が圧力調整弁１１の公称作業点に相応する電流で負荷される。この基本状態から、位置的に固定されたケーシング１２内でアンカボルト１６は、圧力調整弁１１を公称作業点にて閉鎖しようとする所定の反力が達成されるまで、電磁石１３の給電によって生ぜしめられた力に抗して移動させられる。この力は力測定システム３１によって高い精度でコントロールされる。
【００２３】
アンカボルト１６の前述の移動は弁部材１７の端面３６に接する距離測定システム３３の位置決めピン３２によって行なわれる。
【００２４】
力測定システム３１によってコントロールされた所定の反力の達成によって、圧力調整弁１１の公称作業点において距離測定システム３３によって高い精度で、弁部材１７の端面３６と圧力調整弁１１のケーシング１２の基準面２７との間の軸方向の間隔３４が測定される。
【００２５】
距離測定システム３３の精確な測定とこれを制御する力測定システム３１とに基づき間隔３４とこれによって導き出され得る調節円板２６の軸方向の高さの高精度の検出の前提条件とが与えられるので圧力調整弁１１により監視された燃料貯蔵器の圧力は狭まい限界に維持可能である。
【図面の簡単な説明】
【００２６】
【図１】圧力調整弁の概略的な縦断面図。
【図２】力と距離とを測定する測定システムと協働するために有意義である部分と共に圧力調整弁を示した縦断面図。
【符号の説明】
【００２７】
１１  圧力調整弁
１２  ケーシング
１３  電磁石
１４  コイル巻線
１６  アンカボルト
１７  弁部材
１８  閉鎖エレメント
１９  弁座
２１  アンカプレート
２２  下面
２３  上面
２４  空隙
２６  調節円板
２７  基準面
２８  支持面
２９  弁座体
３１  力測定システム
３２  位置決めピン
３３  距離測定システム
３４  間隔
３６  端面
【図１】
2008525697.tif 000003
【図２】
2008525697.tif 000004
【国際調査報告】
2008525697.tif 000005
2008525697.tif 000006
2008525697.tif 000007
2008525697.tif 000008